(57)【要約】  表示装置（２）のリフレッシュ周波数よりも高い周波数での検出装置（３）における検出動作と、検出精度の向上とを実現することが出来る表示装置（２）、表示装置（２）の駆動方法、及び電子機器（１）を提供する。表示装置（２）は、複数の画素からなる画面を有する表示装置（２）であって、複数の画素が順次選択状態にされる走査が行われる走査フレームと、走査が全く行われない休止フレームとが交互に繰り返される表示装置（２）において、画面への接触または接近による入力および表示装置（２）の外部から飛来する電波の少なくとも何れか一方の検出対象を検出する検出装置（３）に対して、少なくとも１つの休止フレームにおけるタッチパネル検出期間Ｔｔｐにおいて、検出を指示する検出指示信号を複数回出力する検出指示手段を備える。
2012141112.tif 000002
【特許請求の範囲】
【請求項１】
複数の画素からなる画面を有する表示装置であって、
上記複数の画素が順次選択状態にされる走査が行われる走査期間と、上記走査が全く行われない非走査期間とが交互に繰り返される表示装置において、
上記画面への接触または接近による入力および上記表示装置の外部から飛来する電波の少なくとも何れか一方の検出対象を検出する検出装置に対して、少なくとも１つの上記非走査期間において、上記検出を指示する検出指示信号を複数回出力する検出指示手段を備えることを特徴とする表示装置。
【請求項２】
上記検出装置は、上記非走査期間において連続する２つの上記検出の間隔と、上記走査期間を含む期間において連続する２つの上記検出の間隔との差が最小となるように、各検出のタイミングを決定することを特徴とする請求項１に記載の表示装置。
【請求項３】
上記非走査期間は、上記走査期間よりも長いことを特徴とする請求項２に記載の表示装置。
【請求項４】
上記非走査期間をＴｓ、
上記検出に要する期間をＴｔｐ、
上記非走査期間において連続する２つの上記検出の間隔をＴｉｎｔとすると、
Ｔｓ≧Ｔｔｐ×２＋Ｔｉｎｔ
が成立することを特徴とする請求項３に記載の表示装置。
【請求項５】
上記複数の画素は、一方向に伸びる複数の走査信号線と、他方向に伸びる複数のデータ信号線との交差部に対応して設けられ、
上記走査信号線を選択状態とする信号である選択信号を、各走査信号線に順次印加する走査線駆動回路と、
各データ信号線に画像データ信号を供給する信号線駆動回路と、
外部から入力された垂直同期信号に基づいて、上記選択信号を上記走査線駆動回路に出力するとともに、外部から入力された水平同期信号に基づいて、上記画像データ信号の供給を指示する信号である供給指示信号を、上記信号線駆動回路に出力する制御回路とをさらに備え、
上記信号線駆動回路は、上記データ信号線の本数に応じた数の信号線駆動部を有し、
いずれか１つの上記信号線駆動部は、上記検出指示手段を備えることを特徴とする請求項１〜４のいずれか１項に記載の表示装置。
【請求項６】
上記非走査期間は、上記走査期間の整数倍相当の期間であることを特徴とする請求項１に記載の表示装置。
【請求項７】
上記非走査期間は、上記走査期間の２倍相当の期間であり、
上記非走査期間の前半部における上記検出の開始時刻は、上記非走査期間の後半部における上記検出の開始時刻よりも早いことを特徴とする請求項６に記載の表示装置。
【請求項８】
上記非走査期間は、上記走査期間の奇数倍相当の期間であり、
上記非走査期間の内、上記走査期間に相当する長さを有する奇数番目の期間のそれぞれにおいて、上記検出の開始時刻、及び、上記検出の終了時刻が同一であることを特徴とする請求項１に記載の表示装置。
【請求項９】
上記複数の画素は、一方向に伸びる複数の走査信号線と、他方向に伸びる複数のデータ信号線との交差部に対応して設けられ、
上記走査信号線を選択状態とする信号である選択信号を、各走査信号線に順次印加する走査線駆動回路と、
各データ信号線に画像データ信号を供給する信号線駆動回路と、
外部から入力された垂直同期信号に基づいて、上記選択信号を上記走査線駆動回路に出力するとともに、外部から入力された水平同期信号に基づいて、上記画像データ信号の供給を指示する信号である供給指示信号を、上記信号線駆動回路に出力する制御回路とをさらに備え、
上記制御回路は、上記検出指示手段を備えることを特徴とする請求項１〜４，６〜８のいずれか１項に記載の表示装置。
【請求項１０】
上記複数の画素は、一方向に伸びる複数の走査信号線と、他方向に伸びる複数のデータ信号線との交差部に対応して設けられ、
上記走査信号線を選択状態とする信号である選択信号を、各走査信号線に順次印加する走査線駆動回路と、
各データ信号線に画像データ信号を供給する信号線駆動回路と、
外部から入力された垂直同期信号に基づいて、上記選択信号を上記走査線駆動回路に出力するとともに、外部から入力された水平同期信号に基づいて、上記画像データ信号の供給を指示する信号である供給指示信号を、上記信号線駆動回路に出力する制御回路と、
上記垂直同期信号及び上記水平同期信号を供給する統括制御部とをさらに備え、
上記制御回路は、上記検出指示信号を、上記統括制御部を介して上記検出装置へ出力することを特徴とする請求項１〜４，６〜８のいずれか１項に記載の表示装置。
【請求項１１】
上記走査線駆動回路、上記信号線駆動回路、及び、上記制御回路は、上記走査期間内において、上記画素へ印加する電圧の極性を反転させることを特徴とする請求項５，９，１０のいずれか１項に記載の表示装置。
【請求項１２】
液晶表示装置であることを特徴とする請求項１〜１１のいずれか１項に記載の表示装置。
【請求項１３】
有機エレクトロルミネッセンス表示装置であることを特徴とする請求項１〜１１のいずれか１項に記載の表示装置。
【請求項１４】
上記検出装置は、上記表示装置の画面に設けられるタッチパネルであることを特徴とする請求項１〜１３のいずれか１項に記載の表示装置。
【請求項１５】
上記検出装置は、上記画面における上記検出対象の移動の速度情報を生成し、
少なくとも１つの上記非走査期間において、上記速度情報に応じた回数の上記検出指示信号を出力することを特徴とする請求項１４に記載の表示装置。
【請求項１６】
上記検出装置は、外部から飛来する電波を検出して、該電波に含まれる信号を受信するＲＦ受信装置であることを特徴とする請求項１〜１３のいずれか１項に記載の表示装置。
【請求項１７】
上記表示装置が有する上記画素は、ＴＦＴを備えており、
上記ＴＦＴの半導体層には、酸化物半導体が用いられていることを特徴とする請求項１〜１６のいずれか１項に記載の表示装置。
【請求項１８】
上記酸化物半導体は、ＩＧＺＯであることを特徴とする請求項１７に記載の表示装置。
【請求項１９】
請求項１〜１８のいずれか１項に記載の表示装置と、
上記検出装置とを備えることを特徴とする電子機器。
【請求項２０】
複数の画素からなる画面を有する表示装置の駆動方法であって、
上記複数の画素が順次選択状態にされる走査が行われる走査期間と、上記走査が全く行われない非走査期間とが交互に繰り返される表示装置の駆動方法において、
上記画面への接触または接近による入力および上記表示装置の外部から飛来する電波の少なくとも何れか一方の検出対象を検出する検出装置に対して、少なくとも１つの上記非走査期間において、上記検出を指示する検出指示信号を複数回出力する工程を含むことを特徴とする表示装置の駆動方法。
【発明の詳細な説明】
【技術分野】
【０００１】
本発明は、例えばタッチパネルを有する検出（受信）装置に対して直接的あるいは間接的な制御が可能な表示装置及び表示装置の駆動方法及び表示装置と検出装置を備えた電子機器に関するものである。
【背景技術】
【０００２】
表示装置として、タッチパネル機能を有する装置である検出（受信）装置に対して直接的あるいは間接的な制御が可能なモバイル端末用ディスプレイ、及び、当該モバイル端末用ディスプレイを備えるモバイル端末が製品化されている。【０００３】
上記検出装置は、人間の指やタッチペンによる接触を検出する検出部を備えており、人間の指やタッチペンで上記検出部をなぞる（上記検出部に触れる）動作が行われる。これにより、上記なぞる動作（上記触れる動作）に応じた、モバイル端末のユーザーの操作が、上記検出部において検出される。【０００４】
上述したようなタッチパネルを備えるモバイル端末用ディスプレイ（表示装置）では、走査が行われることによって、表示装置からノイズが発生する。このノイズが、タッチパネル(特に静電容量タッチパネル)に影響を与えることによって、タッチパネル（検出装置）の検出精度が劣化する。【０００５】
そこで、図１６に示される第１従来例のように、上記表示装置において動画像を表示しない期間である非走査期間（帰線期間）と、上記検出装置における検出期間（タッチパネル検出期間）とを同期させる制御が、従来から行われている。非走査期間と検出期間とを同期させることで、検出精度を大幅に向上させることが可能である。【０００６】
ここで、図１６に示される第１従来例の制御では、以下の課題がある。即ち、非走査期間（帰線期間）が、通常、１００μｓｅｃオーダーであるために、非走査期間に同期した検出期間も、１００μｓｅｃオーダーとなる。検出期間としては、通常１０ｍｓｅｃ前後の期間が必要である。このため、第１従来例に示される制御では、上記検出装置における検出自体が不可能である。【０００７】
図１６の第１従来例における課題を解決するために、図１７に示される第２従来例の制御が提案されている。図１７に示されるように、第２従来例では、走査期間を極力短くすることにより、非走査期間を極力長くする（例えば、０．５ｍｓｅｃ以上とする）。そして、第１従来例と同様に、非走査期間と検出期間とを同期させる。【０００８】
第２従来例における制御では、第１従来例と同様に、非走査期間と検出期間とを同期させている。よって、第１従来例と同様に、検出精度を大幅に向上させることが可能である。【０００９】
これに加えて、第２従来例における制御では、非走査期間がより長くなったことに伴い、検出期間もより長くなるので、ユーザーの操作を検出するために必要な検出期間を確保することが出来る。【００１０】
図１７に示される第２従来例の制御では、以下の課題がある。第２従来例に示される制御では、第１従来例の制御と同様に、１フレーム期間内に、１つの走査期間と１つの非走査期間とが含まれる。そして、非走査期間と検出期間とを同期させる。【００１１】
よって、走査期間の数と非走査期間の数（即ち検出の回数）とが等しい。従って、検出装置であるタッチパネルにおける検出の周波数は、表示装置のリフレッシュ周波数と同一の周波数となる。【００１２】
図１７に示される第２従来例の制御において、１フレーム期間が１６．６ｍｓｅｃであるので、表示装置のリフレッシュ周波数は６０Ｈｚである。この場合、検出装置であるタッチパネルにおける検出の周波数も、６０Ｈｚとなる。このため、第２従来例の制御では、１００Ｈｚ以上の検出周波数を必要とする手書きに対応することが出来ない。【００１３】
非走査期間を極力長くする第２従来例に関連して、特許文献１には、画面を１回走査する走査期間よりも長い非走査期間を設ける表示装置の駆動方法が開示されている。この駆動方法では、全走査信号線を非走査状態とする休止期間を設けることによって、低消費電力を実現している。
【先行技術文献】
【特許文献】
【００１４】
【特許文献１】日本国公開特許公報「特開２００１−３１２２５３号公報（２００１年１１月９日公開）」
【発明の概要】
【発明が解決しようとする課題】
【００１５】
上述した第１従来例及び第２従来例では、１フレーム期間において、走査期間と非走査期間とが含まれていた。第２従来例の応用としての第３従来例を、図１８を用いて説明する。【００１６】
図１８の第３従来例に示される制御において、表示装置が備える表示パネルは２つの状態を有している。第１の状態に対応するフレームは、表示パネル内の全画素について走査を行うフレーム、すなわち、走査フレームである。【００１７】
一方、第１の状態に対応するフレームの後に続く第２の状態に対応するフレームは、走査が全く行われないフレーム、すなわち、休止フレームである。【００１８】
そして、走査フレームと、休止フレームとが、交互に繰り返される。【００１９】
このように、走査フレームと休止フレームとが交互に繰り返される場合に、休止フレームにおいて、検出装置がユーザーの操作の検出を行う。【００２０】
よって、検出装置における検出期間を休止フレームに収めることにより、第１従来例及び第２従来例と同様に、検出精度を大幅に向上させることが可能である。【００２１】
また、ユーザーの操作の検出を行う検出期間として、１つのフレームを充てるので、第２従来例よりも長い検出期間を確保することが出来る。【００２２】
しかしながら、この第３従来例においても、第２従来例と同様の課題が生じる。具体的に説明すると、第３従来例における、表示装置のリフレッシュ周波数は、１フレーム期間をＴｆとすると、
１／（２×Ｔｆ）    （１）
となる。１つの走査フレームと１つの休止フレームとを合わせた２フレーム期間（２×Ｔｆ）において、表示装置のリフレッシュと、検出装置であるタッチパネルにおける検出とは、それぞれ１度ずつ行われるためである。【００２３】
よって、検出装置であるタッチパネルにおける検出の周波数は、表示装置のリフレッシュ周波数と同一の周波数となる。従って、第３従来例においても、２フレーム期間である（２×Ｔｆ）に対応する表示装置のリフレッシュ周波数が６０Ｈｚであると、検出の周波数も６０Ｈｚとなり、１００Ｈｚ以上の検出周波数を必要とする手書きに対応することが出来ない。【００２４】
そして、走査期間よりも長い非走査期間を設ける特許文献１に係る発明において検出装置が備わっても、第２従来例及び第３従来例と同様に、リフレッシュ周波数と検出の周波数とが等しくなる。【００２５】
本発明は、上記従来の問題点に鑑みなされたものであって、その目的は、表示装置のリフレッシュ周波数よりも高い周波数での検出装置における検出動作と、検出精度の向上とを実現することが出来る表示装置、表示装置の駆動方法、及び電子機器を提供することにある。
【課題を解決するための手段】
【００２６】
本発明の表示装置は、上記課題を解決するために、複数の画素からなる画面を有する表示装置であって、上記複数の画素が順次選択状態にされる走査が行われる走査期間と、上記走査が全く行われない非走査期間とが交互に繰り返される表示装置において、上記画面への接触または接近による入力および上記表示装置の外部から飛来する電波の少なくとも何れか一方の検出対象を検出する検出装置に対して、少なくとも１つの上記非走査期間において、上記検出を指示する検出指示信号を複数回出力する検出指示手段を備えることを特徴とする。【００２７】
また、本発明の表示装置の駆動方法は、上記課題を解決するために、複数の画素からなる画面を有する表示装置の駆動方法であって、上記複数の画素が順次選択状態にされる走査が行われる走査期間と、上記走査が全く行われない非走査期間とが交互に繰り返される表示装置の駆動方法において、上記画面への接触または接近による入力および上記表示装置の外部から飛来する電波の少なくとも何れか一方の検出対象を検出する検出装置に対して、少なくとも１つの上記非走査期間において、上記検出を指示する検出指示信号を複数回出力する工程を含むことを特徴とする。【００２８】
上記表示装置によれば、上記検出指示手段は、少なくとも１つの上記非走査期間において、上記検出を指示する検出指示信号を複数回出力する。また、上記表示装置の駆動方法によれば、少なくとも１つの上記非走査期間において、上記検出を指示する検出指示信号を複数回出力する工程を含む。これにより、上記検出の頻度を示す検出周波数を、上記複数の画素の更新頻度を示すリフレッシュ周波数よりも高くすることが出来る。【００２９】
例えば、上記表示装置において、全ての上記非走査期間で２回検出を行う場合を考える。この場合、リフレッシュは、１つの走査期間と１つの非走査期間との和の期間において、１回行われる。一方、上記検出は、１つの走査期間と１つの非走査期間との和の期間において２回行われる。よって、上記検出周波数は、リフレッシュ周波数の２倍となる。【００３０】
よって、例えば上記リフレッシュ周波数が６０Ｈｚである場合に、検出周波数を１２０Ｈｚとすることが可能となる。よって、１００Ｈｚ以上の検出周波数を必要とする手書きに対応することが出来る。【００３１】
また、全ての上記検出は、上記非走査期間において行われる。これにより、上記走査期間に上記表示装置において走査が行われることにより生じるノイズの影響を除くことが出来る。よって、上記検出の精度を大幅に向上させることが可能である。【００３２】
従って、表示装置のリフレッシュ周波数よりも高い周波数での検出装置における検出動作と、検出精度の向上とを実現することが出来る表示装置、表示装置の駆動方法、及び電子機器を提供することが出来る。
【発明の効果】
【００３３】
本発明の表示装置は、以上のように、画面への接触または接近による入力および表示装置の外部から飛来する電波の少なくとも何れか一方の検出対象を検出する検出装置に対して、少なくとも１つの上記非走査期間において上記検出を指示する検出指示信号を複数回出力する検出指示手段を備えるものである。【００３４】
また、本発明の表示装置の駆動方法は、以上のように、画面への接触または接近による入力および上記表示装置の外部から飛来する電波の少なくとも何れか一方の検出対象を検出する検出装置に対して、少なくとも１つの上記非走査期間において上記検出を指示する検出指示信号を複数回出力する工程を含む方法である。【００３５】
それゆえ、表示装置のリフレッシュ周波数よりも高い周波数での検出装置における検出動作と、検出精度の向上とを実現することが出来るという効果を奏する。
【図面の簡単な説明】
【００３６】
【図１】本発明の実施例に係る表示装置の駆動方法を示すタイミングチャートである。
【図２】本発明の別の実施例に係る表示装置の駆動方法を示すタイミングチャートである。
【図３】本発明のさらに別の実施例に係る表示装置の駆動方法を示すタイミングチャートである。
【図４】本発明のさらに別の実施例に係る表示装置の駆動方法を示すタイミングチャートである。
【図５】本発明のさらに別の実施例に係る表示装置の駆動方法を示すタイミングチャートである。
【図６】本発明のさらに別の実施例に係る表示装置の駆動方法を示すタイミングチャートである。（ａ）は、検出装置の検出期間の開始時刻を、ＴＰ検出動作制御信号の立ち上がる時刻と同期させた場合のタイミングチャートである。（ｂ）は、さらに、検出装置の検出期間の終了時刻を、ＴＰ検出動作制御信号の立ち下がる時刻と同期させた場合のタイミングチャートである。
【図７】本発明のさらに別の実施例に係る表示装置の構成を示す説明図である。
【図８】本発明の実施形態に係る表示装置の構成の詳細を示すブロック図である。
【図９】本発明の実施形態に係る他の表示装置の構成の詳細を示すブロック図である。
【図１０】遅延時間を考慮した表示装置の駆動方法を示すタイミングチャートである。
【図１１】表示パネルにおける走査信号線、データ信号線、および画素電極の構造を示す構造図であり、（ａ）は、或るフレーム（第ｎフレーム）における各画素電極の電圧の極性を示しており、（ｂ）は、次のフレーム（第（ｎ＋１）フレーム）にてソース反転を行った場合における各画素電極の電圧の極性を示している。
【図１２】表示パネルにおける走査信号線、データ信号線、および画素電極の構造を示す構造図であり、（ａ）は、或るフレーム（第ｎフレーム）における各画素電極の電圧の極性を示しており、（ｂ）は、次のフレーム（第（ｎ＋１）フレーム）にてソース反転を行った場合における各画素電極の電圧の極性を示している。
【図１３】表示パネルにおける走査信号線、データ信号線、および画素電極の構造を示す構造図であり、（ａ）は、或るフレーム（第ｎフレーム）における各画素電極の電圧の極性を示しており、（ｂ）は、次のフレーム（第（ｎ＋１）フレーム）にてライン反転を行った場合における各画素電極の電圧の極性を示している。
【図１４】表示パネルにおける走査信号線、データ信号線、および画素電極の構造を示す構造図であり、（ａ）は、或るフレーム（第ｎフレーム）における各画素電極の電圧の極性を示しており、（ｂ）は、次のフレーム（第（ｎ＋１）フレーム）にてドット反転を行った場合における各画素電極の電圧の極性を示している。
【図１５】各種ＴＦＴの特性を示す図である。
【図１６】第１従来例を示すタイミングチャートである。
【図１７】第２従来例を示すタイミングチャートである。
【図１８】第３従来例を示すタイミングチャートである。
【発明を実施するための形態】
【００３７】
本発明の一実施形態について図１〜図１０に基づいて説明すれば、以下の通りである。
【００３８】
（電子機器１の構成）
まず、本実施形態に係る電子機器１の構成について、図８を参照して説明する。図８は、本実施形態に係る電子機器１の構成の詳細を示すブロック図である。図８に示すように、電子機器１は、表示装置２、検出装置３、及び、システム側コントロール部１０を備えている。また、表示装置２は、表示パネル２ａ、走査線駆動回路（ゲートドライバ、駆動手段）４、信号線駆動回路（ソースドライバ、駆動手段）５、共通電極駆動回路６、及び、タイミングコントローラ７（制御回路、駆動手段）を有している。さらに、検出装置３は、検出部８と、検出部８を制御する検出部コントロール部９とを有している。
【００３９】
検出装置３は、表示装置２の画面に設けられるタッチパネルであってもよい。
【００４０】
本実施形態では、検出装置３として、投影型静電容量方式のタッチパネルが利用されている。投影型静電容量方式のタッチパネルの場合、検出部８（検出を行う部分）は、ＩＴＯ（Indium Tin Oxide）などによるマトリクス状の透明電極パターンを、ガラス、プラスチックなどの透明基板上に形成したものとなる。検出部８にユーザーの指等が接触または接近すると、その付近の複数の透明電極パターンにおける静電容量が変化する。従って、検出部コントロール部９（検出を行う部分の制御部）は、上記透明電極パターンの電流または電圧の変化を検出することにより、ユーザーの指等が接触または接近した位置を検出することができる。
【００４１】
また、本実施形態では、検出装置３として、投影型静電容量方式のタッチパネルを利用しているが、表面型静電容量方式、抵抗膜方式など、任意の検出方式のタッチパネルを利用することができる。なお、投影型静電容量方式の場合、検出部８に多数の電極パターンが形成されるため、表示パネル２ａにおける駆動の影響を受けやすい。従って、投影型静電容量方式のタッチパネルを備えた電子機器１に対し、本発明の表示装置２を適用することにより、より顕著な効果が期待できる。
【００４２】
なお、検出装置３としてのタッチパネルは、上記画面上の任意の位置にユーザーの指等が接触または接近することを検出する場合もある。この場合、上記接触または接近を検出すればよく、上記位置を検出する必要は無い。
【００４３】
また、検出装置３は、外部から飛来する電波を検出して、該電波に含まれる信号を受信するＲＦ受信装置であってもよい。検出装置３としては、例えばタッチパネルが利用されるが、本発明は任意の検出装置に適用可能である。この検出装置の例としては、タッチパネルの他に、外部の装置から飛来する電波を受信（検出）するＲＦ（Radio Frequency）受信装置などが挙げられる。ＲＦ受信装置も、電波を受信する時に、表示装置から放射されるＥＭＩ（ElectroMagnetic Interference）の影響を受ける。このため、表示装置が休止モードである時に、ＲＦ受信装置が電波の受信（検出）の動作を行うことにより、受信した信号の精度を向上させることができる。
【００４４】
なお、検出装置３がＲＦ受信装置である場合、外部装置から飛来する電波は、検出部８において受信（検出）される。よって、検出部８は、アンテナ（不図示）を含んでも良い。
【００４５】
表示パネル２ａは、マトリクス状に配置された複数の画素からなる画面を備えている。また、表示パネル２ａは、前記画面を線順次に選択して走査するためのＮ本（Ｎは任意の整数）の走査信号線Ｇ（ゲートライン）を備えている。さらに、表示パネル２ａは、選択されたラインに含まれる一行分の画素にデータ信号を供給するＭ本（Ｍは任意の整数）のデータ信号線Ｓ（ソースライン）を備えている。走査信号線Ｇとデータ信号線Ｓとは互いに直交している。
【００４６】
図８に示すＧ（ｎ）はｎ本目（ｎは任意の整数）の走査信号線Ｇを表す。例えば、Ｇ（０）、Ｇ（１）、及び、Ｇ（２）は、それぞれ１本目、２本目および３本目の走査信号線Ｇを表す。一方、Ｓ（ｉ）はｉ本目（ｉは任意の整数）のデータ信号線Ｓを表す。例えば、Ｓ（０）、Ｓ（１）、及び、Ｓ（２）は、それぞれ１本目、２本目および３本目のデータ信号線Ｓを表す。
【００４７】
走査線駆動回路４は、例えば、各走査信号線Ｇを画面の上から下に向かって順次走査する。その際、各走査信号線Ｇに対して、画素に備えられ画素電極に接続されるスイッチング素子（ＴＦＴ）をオン状態にさせるための矩形波を出力する。これにより、画面内の１行分の画素を選択状態にする。
【００４８】
但し、走査線駆動回路４における走査は、上述した順次走査に限定されない。例えば、１本目、３本目、５本目・・・と奇数番目の走査信号線を走査した後に、２本目、４本目、６本目・・・と偶数番目の走査信号線を走査してもよい。
【００４９】
信号線駆動回路５は、システム側コントロール部１０から入力された映像信号（矢印Ａ）から、選択された１行分の各画素に出力すべき電圧の値を算出し、その値の電圧を各データ信号線Ｓに出力する。結果、選択された走査信号線Ｇ上にある各画素に対して、画像データを供給する。
【００５０】
表示装置２は、画面内の各画素に対して設けられる共通電極（不図示）を備えている。共通電極駆動回路６は、タイミングコントローラ７から入力される信号（矢印Ｂ）に基づき、共通電極を駆動するための所定の共通電圧を共通電極に出力する（矢印Ｃ）。
【００５１】
タイミングコントローラ７は、システム側コントロール部１０から入力された水平同期信号及び垂直同期信号（矢印Ｄ、映像同期信号）に基づき、各回路が同期して動作するための基準となる信号を各回路に対して出力する。具体的には、走査線駆動回路４には、垂直同期信号に基づいて、ゲートスタートパルス信号およびゲートクロック信号を出力する（矢印Ｅ）。信号線駆動回路５には、水平同期信号に基づいて、ソーススタートパルス信号、ソースラッチストローブ信号、ソースクロック信号、および入力画像に応じた映像信号を出力する（矢印Ｆ）。
【００５２】
走査線駆動回路４は、タイミングコントローラ７から受け取ったゲートスタートパルス信号を合図に表示パネル２ａの走査を開始し、走査信号線Ｇを選択状態とする信号であるゲートクロック信号に従って各走査信号線Ｇに順次選択電圧を印加していく。信号線駆動回路５は、タイミングコントローラ７から受け取ったソーススタートパルス信号を基に、入力された各画素の画像データをソースクロック信号に従ってレジスタに蓄える。そして、信号線駆動回路５は、画像データを蓄えた後に、次のソースラッチストローブ信号に従って表示パネル２ａの各データ信号線Ｓに画像データ信号を供給する。画像データ信号の供給には、例えば、信号線駆動回路５が有するアナログアンプが用いられる。
【００５３】
タイミングコントローラ７は、上記アナログアンプを休止させるか否かを制御する信号である休止駆動制御信号（矢印Ｇ）を、信号線駆動回路５に出力する。これとともに、タイミングコントローラ７は、休止駆動制御信号に応じたＴＰ検出動作制御信号（矢印Ｈ）を、検出装置３の検出部コントロール部９へ出力する。
【００５４】
検出装置３では、検出部コントロール部９がＴＰ検出動作制御信号を受け取ることにより、検出部８における検出が行われる。ＴＰ検出動作制御信号を受け取った検出部コントロール部９は、駆動ラインＴｘを介して、検出部８を駆動する。
【００５５】
上述のように、検出部８は、例えば投影型静電容量方式のタッチパネルであって、ユーサー（電子機器１の使用者）を含む人間の指またはタッチペン（ペン）が接触または接近した位置を検出する。上記人間の指またはタッチペンで検出部８をなぞる動作（または触れる動作）が行われることにより、上記なぞる動作（または触れる動作）に応じた操作であって上記人間による操作が、検出部８において検出される。
【００５６】
なお、上述した「人間」とは、電子機器１の使用者に限定されない。例えば、電子機器１の使用者とともに電子機器１の表示装置２を観察している観察者等も、上述した「人間」に含まれる。
【００５７】
検出部８による検出結果は、センスラインＲｘを介して、検出部コントロール部９へ送信される。検出部コントロール部９は、検出部８による検出結果を、検出データ（矢印Ｉ）として、システム側コントロール部１０へ送信する。
【００５８】
なお、表示装置２内の各回路が動作するために必要な電圧は、例えば、電源生成回路（不図示）から供給されるが、この電源生成回路は、システム側コントロール部１０に含まれていても良い。この場合、システム側コントロール部１０から表示装置２へ、各電圧が供給されるとともに、システム側コントロール部１０から検出装置３へ、各電圧が供給される。表示装置２内の各回路が動作するために必要な電圧の一例として、信号線駆動回路５には、電源電圧Ｖｄｄが供給される。
【００５９】
以上のように、本実施形態に係る電子機器１の表示装置２では、上記複数の画素は、一方向に伸びる複数の走査信号線Ｇと、他方向に伸びる複数のデータ信号線Ｓとの交差部に対応して設けられる。
【００６０】
また、電子機器１の表示装置２は、走査信号線Ｇを選択状態とする信号であるゲートクロック信号（選択信号）を、各走査信号線Ｇに順次印加する走査線駆動回路４を備える。
【００６１】
さらに、電子機器１の表示装置２は、各データ信号線Ｓに画像データ信号を供給する信号線駆動回路５を備える。
【００６２】
さらに、電子機器１の表示装置２は、タイミングコントローラ７を備える。タイミングコントローラ７は、外部から（即ちシステム側コントロール部１０から）入力された垂直同期信号に基づいて、上記選択信号を走査線駆動回路４に出力する。これとともに、タイミングコントローラ７は、外部から（即ちシステム側コントロール部１０から）入力された水平同期信号に基づいて、上記画像データ信号の供給を指示する信号であるソースラッチストローブ信号（供給指示信号）を、信号線駆動回路５に出力する。
【００６３】
タイミングコントローラ７（検出指示手段）は、上記画面への接触または接近による入力および上記表示装置の外部から飛来する電波の少なくとも何れか一方の検出対象を検出する検出する検出装置３に対して、上記検出を指示するＴＰ検出動作制御信号（検出指示信号）を、少なくとも１つの上記非走査期間において複数回出力する。
【００６４】
ここで、本実施形態に係る表示装置２の駆動方法について、図１〜図１０を参照して説明する。
【００６５】
（実施例１）
図１は、本実施例１に係る表示装置２の駆動方法を示すタイミングチャートである。
【００６６】
まず、表示装置２において、システム側コントロール部１０からタイミングコントローラ７に入力される垂直同期信号には、１フレーム期間Ｔｆにつき１つのパルスが含まれている。
【００６７】
ここで、１フレーム期間Ｔｆは、１フレームの画像データを走査する期間に加えて帰線期間等を含む。
【００６８】
また、表示装置２がフレームメモリを有していなければ、１フレーム期間Ｔｆは、垂直同期信号の１周期に、略等しくなる。但し、１フレーム期間Ｔｆと垂直同期信号の１周期との間には、垂直同期信号を基準としたある程度のズレ（例えば画像データの処理に起因するある程度のズレ）が生じていてもよい。
【００６９】
さらに、表示装置２がフレームメモリを有していれば、フレームメモリに入力される前の１フレーム期間Ｔｆと、フレームメモリに入力された後の１フレーム期間Ｔｆとが、異なっていてもよい。
【００７０】
このように、図１に示された１フレーム期間Ｔｆは例示であり、１フレーム期間Ｔｆが必ずしも垂直同期信号の１周期に等しくなるとは限らない。
【００７１】
表示装置２がフレームメモリを有する場合、例えばタイミングコントローラ７がフレームメモリを有する。この場合、タイミングコントローラ７がクロック生成回路を有する。そして、上記クロック生成回路で生成されたクロック信号を基準として、１水平期間及び１垂直期間が定めた上で走査を行う。これにより、表示装置２の外部から入力される同期信号に依存することなく表示が可能となる。但し、表示装置２がフレームメモリを有した上で、同期信号に基づく走査を行ってもよい。
【００７２】
上記パルスについて説明すると、任意の１フレーム期間Ｔｆの開始時刻に、上記垂直同期信号のレベルが、例えばハイレベルからローレベルへ変化する。この信号レベルの変化が、上記パルスの立ち下がりに相当する。そして、上記任意の１フレーム期間Ｔｆの後に続く１フレーム期間Ｔｆでも同様に、開始時刻に、上記垂直同期信号のレベルが、例えばハイレベルからローレベルへ変化する。
【００７３】
垂直同期信号では、それぞれの１フレーム期間Ｔｆ毎に、上述した信号レベルの変化が生じて、上記パルスが含まれることとなる。
【００７４】
本実施例１における表示装置２の表示パネル２ａは、第１の状態と第２の状態とを交互にとる。第１の状態及び第２の状態について、以下に説明する。
【００７５】
第１の状態では、１フレーム期間Ｔｆにおいて、表示パネル２ａ内の複数の画素が順次選択状態にされる走査が行われる。表示パネル２ａが第１の状態にある期間（走査期間）を、図１において走査フレームと示す。
【００７６】
第２の状態では、１フレーム期間Ｔｆにおいて、表示パネル２ａ内の全画素について、走査が全く行われない。表示パネル２ａが第２の状態にある期間（非走査期間）を、図１において休止フレームと示す。
【００７７】
以上より、本実施例１における表示装置２の表示パネル２ａでは、走査フレームと休止フレームとが、交互に繰り返されることとなる。
【００７８】
ここで、従来の表示装置における駆動方法によると、図１６〜図１８に示されるように、ユーザーの操作の検出は、１回の非走査期間において１回だけ行われていた。
【００７９】
これに対して、本実施例１における表示装置２の駆動方法では以下の駆動を行う。即ち、表示パネル２ａの休止フレームにおいて、タイミングコントローラ７から検出装置３の検出部コントロール部９へ入力されるＴＰ検出動作制御信号において、検出を指示するためのパルスが、複数個含まれる（図１では２個を例示している）。これに伴い、例えば投影型静電容量方式のタッチパネルである検出部８は、上記休止フレーム（即ち非走査期間）において、検出を上記複数回行う（図１では２回の検出を例示している）。
【００８０】
図１において、タッチパネル検出状態の波形中に示されるタッチパネル検出期間Ｔｔｐ（検出部８における検出に要する期間）は、図１８のタッチパネル検出期間よりも短くなっている。この点について説明する。近年、タッチパネル検出期間を大幅に短く（具体的には、１ｍｓｅｃにほぼ等しくなるまで短く）する技術が編み出されている。従って、図１に示されるように、１つの休止フレームにおいて、複数回の検出が実現可能となっている。
【００８１】
ここで、タッチパネル検出期間Ｔｔｐについては、タッチパネル検出期間Ｔｔｐの開始時刻および終了時刻は、検出指示信号がアクティブである期間であればよい。即ち、図１に示されるように、タッチパネル検出期間Ｔｔｐについては、タッチパネル検出期間Ｔｔｐの開始時刻が、ＴＰ検出動作制御信号の立ち上がる時刻と同期していれば良い。
【００８２】
従って、ＴＰ検出動作制御信号の立ち上がる時刻にタッチパネル検出期間Ｔｔｐが開始され、予め定められたタッチパネル検出期間Ｔｔｐにおいて検出を行えばよい。タッチパネル検出期間Ｔｔｐは、例えば検出装置３において予め定めれば良い。
【００８３】
本実施例１に係る表示装置２において、全ての休止フレームで２回検出を行う場合を考える。この場合、リフレッシュ周波数は、１フレーム期間がＴｆであり、１つの走査フレームと、後に続く１つの休止フレームとによる２フレーム期間（２×Ｔｆ）において、１回リフレッシュが行われるので、
１／（２×Ｔｆ）    （２）
となる。
【００８４】
一方、本実施例１に係る表示装置２において、検出部８の検出は、１つの走査フレームと、後に続く１つの休止フレームとによる２フレーム期間（２×Ｔｆ）において、２回行われる。よって、検出部８の検出の頻度を示す検出周波数は、
２／（２×Ｔｆ）    （３）
となり、（２）式で示されるリフレッシュ周波数の２倍となる。
【００８５】
これにより、例えばリフレッシュ周波数が６０Ｈｚである場合に、検出周波数を１２０Ｈｚとすることが可能となる。よって、１００Ｈｚ以上の検出周波数を必要とする手書きに対応することが出来る。
【００８６】
なお、検出周波数がリフレッシュ周波数の２倍となるのは、全ての休止フレームにおいて検出を２回行った場合であるが、本実施例１に係る表示装置の駆動方法は、これに限定されない。以下に一例を示す。
【００８７】
走査フレームが６０フレーム、休止フレームが６０フレーム、計１２０フレームである場合を考える。走査フレームと休止フレームとが交互に繰り返される点は、（２）式及び（３）式で示される場合と同様である。
【００８８】
この場合、本実施例１に係る表示装置２のリフレッシュ周波数は、１２０フレーム期間（１２０×Ｔｆ）に６０回リフレッシュが行われるので、
６０／（１２０×Ｔｆ）    （４）
となる。
【００８９】
ここで、６０フレームある休止フレームの内の１つの休止フレームのみにおいて、検出を２回行う場合を考える。この場合、本実施例１に係る表示装置２において、検出部８の検出は、１２０フレーム期間（１２０×Ｔｆ）において、６１回行われる。すなわち、１フレームだけ２回検出するので、１回だけ検出回数が多くなる。
【００９０】
よって、検出部８の検出の頻度を示す検出周波数は、
６１／（１２０×Ｔｆ）    （５）
となり、（４）式で示されるリフレッシュ周波数よりも高くなる。
【００９１】
（５）式の検出周波数は、６０フレームある休止フレームの内の１フレームのみにおいて、検出を２回行う場合の周波数であるが、検出を２回行う休止フレームを２つ以上に増やすことにより、さらに検出周波数を高めることが出来る。
【００９２】
以上のように、本実施例１に係る表示装置２では、休止フレームの少なくとも１つにおいて、上記検出を指示する検出指示信号の出力が複数回行われる。即ち、本実施例１に係る表示装置２の駆動方法では、休止フレームの少なくとも１つにおいて、上記検出を指示する検出指示信号を複数回出力する工程を含む。
【００９３】
これにより、上記検出の頻度を示す検出周波数を、上記複数の画素の更新頻度を示すリフレッシュ周波数よりも高く（例えば２倍に）することが出来る。
【００９４】
よって、上記リフレッシュ周波数が６０Ｈｚである場合に、検出周波数を１２０Ｈｚとすることが出来る。よって、例えば、１００Ｈｚ以上の検出周波数を必要とする手書きに対応することが出来る。
【００９５】
さらに、検出周波数は、単に２倍にすることが出来るだけでなく、上記リフレッシュ周波数が６０Ｈｚである場合に、６１Ｈｚ〜１２０Ｈｚの範囲で調整することも可能である。
【００９６】
また、全ての上記検出は、休止フレームにおいて行われる。即ち、いずれかの休止フレーム中に、全てのタッチパネル検出期間Ｔｔｐが含まれることとなる。これにより、走査フレームの間で表示装置２において走査が行われることにより生じるノイズの影響を受けなくすることが出来る。よって、上記検出の精度を大幅に向上させることが可能である。
【００９７】
従って、表示装置のリフレッシュ周波数よりも高い周波数での検出装置における検出動作と、検出精度の向上とを実現することが出来る表示装置２及び表示装置２の駆動方法を提供することが出来る。
【００９８】
なお、検出装置３は、休止フレームにおいて連続する２つの上記検出の間隔と、上記走査期間を含む期間において連続する２つの上記検出の間隔との差が最小となるように、各検出のタイミングを決定してもよい。図１のタイミングチャートで示される駆動を例に挙げると、時間Ｔ１と時間Ｔ２とが最小になるように、検出装置３が各検出のタイミングを決定すればよい。
【００９９】
これにより、連続する２つの検出の間隔を可能な限り広げるとともに、当該間隔を可能な限り一定に近づけて、定期的な検出に近い検出を実現することが出来る。
【０１００】
また、本実施例１では、表示パネル２ａ内の全画素について走査が行われる期間、即ち走査期間が１フレーム期間Ｔｆに等しいため、この走査期間を走査フレームと示した。同様に、走査が全く行われない期間、即ち非走査期間が１フレーム期間Ｔｆに等しいため、この非走査期間を休止フレームと示した。
【０１０１】
しかし、後述する実施例５からも分かるように、走査期間及び非走査期間が、１フレーム期間Ｔｆに限定されないことは明らかである。本発明の思想は、走査期間と非走査期間とが交互に繰り返される中で、少なくとも１つの非走査期間において、検出部８の検出が複数回行われることより、検出周波数をリフレッシュ周波数よりも高くすることにある。
【０１０２】
本実施例１に係る表示装置２では、走査線駆動回路４、信号線駆動回路５、及び、タイミングコントローラ７は、上記走査期間内において、上記画素へ印加する電圧の極性を反転させてもよい。これにより、上記走査期間における消費電流が多い駆動であるドット反転系の駆動を行う場合において、検出精度を向上させることが出来るとともに、検出装置３の消費電力を低減することが出来る。
【０１０３】
ここで、表示装置２における上記極性の反転駆動について説明する。同じ画像を同じ位置に長時間表示することにより、当該画像が画面に焼き付くことを防止するため、表示パネル２ａにおける画素電極は、所定回数（例えば１回）の１フレーム期間ごとに電圧の極性を反転することが望ましい。表示パネル２ａの全画素電極に対して、或るフレームにて同じ極性の電圧を印加し、当該或るフレームの次のフレームにて逆極性の電圧を印加し、これを繰り返す反転方式は、「フレーム反転」と称される。フレーム反転は、或るフレームにて全データ信号線Ｓに印加する電圧の極性を、１フレーム期間ごとに反転することにより実現できる。
【０１０４】
さらに、フリッカ防止のため、走査信号線Ｇの方向およびデータ信号線Ｓの方向の少なくとも一方に配列した画素電極ごとに電圧の極性を反転することが望ましい。この反転には、「ソース反転」、「ライン反転」、および「ドット反転」などがある。以下、図１１〜図１４を参照してこれらの反転を詳細に説明する。
【０１０５】
図１１〜図１４は、表示パネル２ａにおける走査信号線Ｇ、データ信号線Ｓ、および画素電極の構造を示す構造図である。また、図１１〜図１４のそれぞれについて、（ａ）は、或るフレーム（第ｎフレーム）における各画素電極の電圧の極性を示しており、（ｂ）は、次のフレーム（第（ｎ＋１）フレーム）にて逆極性の電圧が印加された各画素電極の電圧の極性を示している。各画素電極の電圧の極性は、図中の＋（プラス）および−（マイナス）によって示されている。
【０１０６】
図１１は、ソース反転の一例を示している。ソース反転は、データ信号線（ソース線）Ｓごとに印加する電圧の極性を反転したものである。これにより、図１１に示すように、走査信号線Ｇの方向に配列した画素電極ごとに電圧の極性を反転することができる。
【０１０７】
図１２は、図１１と同じソース反転であるが、図１１に比べて画素電極の配置が異なっている。図１１では、データ信号線Ｓに接続する画素電極が、当該データ信号線Ｓに対して一方の側（図示の例では右側）に配置されている。これに対し、図１２では、データ信号線Ｓに接続する画素電極が、当該データ信号線Ｓに対して千鳥状に配置されている。このため、隣り合うデータ信号線Ｓの間に配置された画素電極の電圧の極性は、図１１の配置では同じであるが、図１２の配置では互い違いとなっている。
【０１０８】
図１３は、ライン反転の一例を示している。ライン反転は、データ信号線Ｓに印加する電圧の極性を、駆動される走査信号線Ｇごと（水平走査期間ごと）に反転したものである。これにより、図１１に示すように、データ信号線Ｓの方向に配列した画素電極ごとに電圧の極性を反転することができる。
【０１０９】
図１４は、ドット反転の一例を示している。ドット反転は、図１１に示すソース反転と、図１３に示すライン反転とを組み合わせることにより実現できる。具体的には、１番目の走査信号線Ｇ１の駆動時に、各データ信号線Ｓに印加する電圧の極性を、１番目をプラス（＋）とし、以下、順番に反転する。次に、２番目の走査信号線Ｇ２の駆動時に、各データ信号線Ｓに印加する電圧の極性を、１番目をマイナス（−）とし、以下、順番に反転する。そして、３番目以降の走査信号線Ｇの駆動時にも同様に繰り返すことにより、図１４に示すように、走査信号線Ｇの方向およびデータ信号線Ｓの方向に隣り合う画素電極どうしの電圧の極性を異なるようにすることができる。
【０１１０】
（実施例２）
図２は、本実施例２に係る表示装置２の駆動方法を示すタイミングチャートである。
【０１１１】
上記実施例１では、非走査期間は、１つの休止フレームによる１フレーム期間Ｔｆであった。これに対して、本実施例２に係る表示装置２の駆動方法においては、非走査期間には、複数の休止フレーム（１フレーム期間Ｔｆを複数倍（複数倍相当）した非走査期間）が含まれる。
【０１１２】
図２に一例を示す。本実施例２に係る表示装置２の表示パネル２ａでは、走査フレームの後に、２つの休止フレーム、即ち第１休止フレーム（第１フレーム期間）と第２休止フレーム（第２フレーム期間）とが続く。
【０１１３】
この場合、本実施例２に係る表示装置２の駆動方法において、非走査期間は、１フレーム期間Ｔｆの整数倍の期間（整数倍相当の期間）である（図２では、１フレーム期間Ｔｆの２倍の期間（２倍相当の期間、２×Ｔｆ））である。このような非走査期間の少なくとも１つにおいて、実施例１と同様に、複数回の検出を行う。
【０１１４】
図２に示される例では、第１休止フレームにおいて検出を１回行うとともに、第２休止フレームにおいても検出を１回行うことにより、２フレーム期間（２×Ｔｆ）である非走査期間全体において、２回の検出を行っている。
【０１１５】
以上のように、本実施例２に係る表示装置２の駆動方法においては、整数倍の休止フレームで構成される非走査期間全体において、検出が複数回行われる。
【０１１６】
これにより、これにより、上記検出の頻度を示す検出周波数を、上記複数の画素の更新頻度を示すリフレッシュ周波数よりも高くすることが出来る。
【０１１７】
また、全ての休止フレーム（走査期間に相当する長さを有する全ての期間）で検出を複数回行う必要が無くなるので、例えば投影型静電容量方式のタッチパネルである検出部８を有する検出装置３において、消費電力を低減することが出来る。
【０１１８】
なお、図２に示される例において、第１休止フレームにおける検出を開始するタイミングと、第２休止フレームにおける検出を開始するタイミングとは、等しいものとする。即ち、第１休止フレームにおいて、垂直同期信号が立ち上がってから、検出が始まるまでの時間と、第２休止フレームにおいて、垂直同期信号が立ち上がってから、検出が始まるまでの時間とは、等しいものとする。
【０１１９】
但し、各休止フレームにおいて少なくとも１回の検出が行われる必要は無い。即ち、図２において、第２休止フレームにおけるタッチパネル検出期間Ｔｔｐを、第１休止フレーム内に移しても良い（図２のタッチパネル検出状態において破線で示すように移しても良い）。
【０１２０】
これにより、第１休止フレームでは検出を２回行うとともに、第２休止フレームでは検出を行わないことにより、２フレーム期間（２×Ｔｆ）である非走査期間全体において、２回の検出を行うことが出来る。
【０１２１】
なお、本実施例２に係る表示装置２の駆動方法を実現するには、非走査期間が幾つの休止フレームからなるかについての情報を、検出装置３に送信する必要があるが、上記情報は、表示装置２において把握されている。
【０１２２】
よって、例えば、ＴＰ検出動作制御信号が送信される経路（矢印Ｈ）と同様の経路で、即ち、タイミングコントローラ７から検出装置３の検出部コントロール部９へ、上記情報を送信すれば良い。あるいは、表示装置２から上記情報を得る機能を、検出装置３に持たせてもよい。さらに、タイミングコントローラ７→システム側コントロール部１０→検出部コントロール部９の経路で、上記情報が送信されても良い。
【０１２３】
なお、検出部８に触れる、上記人間の指またはタッチペンの動く速度が速くなったことについての情報である速度情報は、検出部８における位置座標の変化から得ることが出来る。
【０１２４】
検出装置３は、上記速度情報に応じた回数の検出を行ってもよい。例えば、上記人間の指またはタッチペンの動く速度が速くなった場合は、上記検出の回数を、上記動く速度が速くなる前よりも増加させても良い。
【０１２５】
（実施例３）
図３は、本実施例３に係る表示装置２の駆動方法を示すタイミングチャートである。
【０１２６】
上記実施例２では、第１休止フレーム及び第２休止フレームの両方において検出が行われる場合、検出を開始するタイミングを一定としていた。即ち、垂直同期信号が立ち上がってから（１フレーム期間Ｔｆの開始時刻から）、検出が始まるまでの時間を、一定に保っていた。
【０１２７】
これに対して、本実施例３に係る表示装置２の駆動方法においては、上記時間を異ならせている。この点について、図３を用いて以下に説明する。
【０１２８】
本実施例３に係る表示装置２の表示パネル２ａの状態について、走査フレームの後に、２つの休止フレーム、即ち第１休止フレーム（前半部）と第２休止フレーム（後半部）とが続く点は、上記実施例２と同じである。
【０１２９】
ここで、図３では、第１休止フレームにおいて、垂直同期信号が立ち上がってから、検出が始まるまでの時間Ｔｐ１は、第２休止フレームにおいて、垂直同期信号が立ち上がってから、検出が始まるまでの時間Ｔｐ２よりも短く設定されている。即ち、上記第１休止フレームにおける検出の開始時刻（Ｔｐ１）は、上記第２休止フレームにおける検出の開始時刻（Ｔｐ２）よりも早い。
【０１３０】
時間Ｔｐ１，Ｔｐ２を適切に設定することにより、検出部８における検出を定期的に行うことが出来る。「定期的」とは、２つの連続する検出の間隔が、全ての検出において等しいことを意味する。
【０１３１】
本実施例３に係る表示装置２の駆動方法における定期的な検出について、具体的に説明する。まず、図３の第１休止フレームにおいて、検出の終了時刻から、第１休止フレームの終了時刻までの時間は、
Ｔｆ−Ｔｔｐ−Ｔｐ１    （６）
となる。
【０１３２】
よって、（６）式の時間に、時間ｔｐ２を加えた時間であるＴ３は、以下の（７）式で示される。
Ｔ３＝（Ｔｆ−Ｔｔｐ−Ｔｐ１）＋Ｔｐ２＝Ｔｆ−Ｔｔｐ−Ｔｐ１＋Ｔｐ２    （７）
は、第１休止フレームにおける検出の終了時刻から、第２休止フレームにおける検出の開始時刻までを示す時間となる。
【０１３３】
次に、図３の第２休止フレームにおいて、検出の終了時刻から、第２休止フレームの終了時刻までの時間は、
Ｔｆ−Ｔｔｐ−Ｔｐ２    （８）
となる。
【０１３４】
よって、（８）式の時間に、走査フレームの１フレーム期間Ｔｆと、時間ｔｐ１とを加えた時間Ｔ３は、以下の（９）式で示される。
Ｔ３＝（Ｔｆ−Ｔｔｐ−Ｔｐ２）＋Ｔｆ＋Ｔｐ１＝２×Ｔｆ−Ｔｔｐ＋Ｔｐ１−Ｔｐ２    （９）
（９）式で示される時間は、第２休止フレームにおける検出の終了時刻から、走査フレームを介した次の第１休止フレームにおける検出の開始時刻までを示す時間となる。
【０１３５】
以上より、（７）式の時間＝（９）式の時間となるように、即ち
Ｔｆ−Ｔｔｐ−Ｔｐ１＋Ｔｐ２＝２×Ｔｆ−Ｔｔｐ＋Ｔｐ１−Ｔｐ２    （１０）
となるように、時間Ｔｐ１，Ｔｐ２を適切に設定する。これにより、検出部８における上記検出を定期的に行うことが出来る。
【０１３６】
（実施例４）
図４は、本実施例４に係る表示装置２の駆動方法を示すタイミングチャートである。
【０１３７】
本実施例４に係る表示装置２の駆動方法においては、非検出期間が、１フレーム期間Ｔｆの奇数倍の期間（奇数倍相当の期間）して構成された奇数個の休止フレーム（奇数個の期間）からなる。そして、奇数個の休止フレームにおける奇数番目の休止フレーム（走査期間に相当する長さを有する奇数番目の期間）のそれぞれにおいて、検出の開始時刻、及び、検出の終了時刻を同一とする。これにより、上記実施例３と同様に、検出部８における検出を定期的に行うことが出来る。
【０１３８】
本実施例４に係る表示装置２の駆動方法における定期的な検出について、具体的に説明する。まず、図４の第１休止フレーム（１番目の期間）において、検出の終了時刻から、第１休止フレームの終了時刻までの時間は、
Ｔｆ−Ｔｔｐ−Ｔｐ    （１１）
となる。
【０１３９】
よって、（１１）式の時間に、第２休止フレームの１フレーム期間Ｔｆと、第３休止フレームの時間ｔｐとを加えた時間Ｔ４は、以下の（１２）式で示される。
Ｔ４＝（Ｔｆ−Ｔｔｐ−Ｔｐ）＋Ｔｆ＋Ｔｐ＝２×Ｔｆ−Ｔｔｐ    （１２）
（１２）式で示される時間は、第１休止フレームにおける検出の終了時刻から、第３休止フレームにおける検出の開始時刻までを示す時間となる。
【０１４０】
次に、図３の第３休止フレーム（３番目の期間）において、検出の終了時刻から、第３休止フレームの終了時刻までの時間は、（１１）式と同様に
Ｔｆ−Ｔｔｐ−Ｔｐ    （１３）
となる。
【０１４１】
よって、（１３）式の時間に、第３休止フレームの後に続く走査フレームの１フレーム期間Ｔｆと、走査フレームの後に続く次の第１休止フレームの時間ｔｐとを加えた時間Ｔ４は、以下の（１４）式で示される。
Ｔ４＝（Ｔｆ−Ｔｔｐ−Ｔｐ）＋Ｔｆ＋Ｔｐ＝２×Ｔｆ−Ｔｔｐ    （１４）
（１４）式で示される時間は、第３休止フレームにおける検出の終了時刻から、次の第１休止フレーム（または、休止フレームが５フレーム以上であれば第５休止フレーム）における検出の開始時刻までを示す時間となる。
【０１４２】
（１２）式に示される時間と、（１４）式に示される時間とが等しいことから、本実施例４に係る表示装置２の駆動では、検出部８における検出が定期的に行われていることは明らかである。
【０１４３】
以上の説明は、休止フレームが３つの場合の説明であったが、休止フレームの数が５以上の奇数においても同様に説明することが出来て、連続する２つの上記検出の間隔が、全て等しくなる。従って、検出部８における上記検出を、定期的に行うことが出来る。
【０１４４】
（実施例５）
図５は、本実施例５に係る表示装置２の駆動方法を示すタイミングチャートである。
【０１４５】
上記実施例１〜４では、１つの走査フレームの期間と、１つの休止フレームの期間とは、ともに、１フレーム期間Ｔｆであった。
【０１４６】
この場合、例えば図１に示されるように、非走査期間が１つの休止フレームからなり、当該１つの休止フレームの中において複数回検出を行うと、以下に示すように、時間Ｔ１と時間Ｔ２とが等しくならない。
【０１４７】
即ち、図１に示される表示装置２の駆動（即ち、上記実施例１に係る表示装置２の駆動）では、本発明の主たる目的である、検出周波数をリフレッシュ周波数よりも高くすることは達成可能である。
【０１４８】
しかし一方で、図１に示されるように、時間Ｔ１と時間Ｔ２とが等しくならず、検出が定期的ではない。時間Ｔ１は、あるタッチパネル検出期間Ｔｔｐの終了時刻から、次のタッチパネル検出期間Ｔｔｐの開始時刻までの時間である。Ｔ２は、ある休止フレームにおける最後のタッチパネル検出期間Ｔｔｐの終了時刻から、走査フレームを介した次の休止フレームにおける最初のタッチパネル検出期間Ｔｔｐの開始時刻までの時間である。
【０１４９】
本実施例５に係る表示装置２の駆動方法では、走査フレーム（走査期間）を１フレーム期間Ｔｆよりも短くする。この走査期間が、図５における走査フレーム（走査期間Ｔｄ）である。
【０１５０】
一方、非走査期間は、１フレーム期間Ｔｆから、走査期間を短くした分だけ長くする。この非走査フレーム（非走査期間）が、図５における非走査フレーム（非走査期間Ｔｓ）である。
【０１５１】
そして、１フレーム期間Ｔｆよりも長い非走査期間Ｔｓにおいて、走査期間Ｔｄの終了時刻に第１の検出を開始するとともに、当該第１の検出終了後に所定時間（後述するＴｉｎｔ）が経過した後に、第２の検出を開始する。
【０１５２】
よって、本実施例５に係る表示装置２の駆動方法では、走査期間Ｔｄ、非走査期間Ｔｓ、及び、１フレーム期間Ｔｆについて、
Ｔｄ＋Ｔｓ＝２×Ｔｆ    （１５）
が成立する。
【０１５３】
このようにして設定された非走査フレームにおいて、複数回の検出を実行するのであるが、複数回の検出を定期的に行うためには、以下の（１６）式を満足する必要がある。即ち、
Ｔｓ≧Ｔｔｐ×２＋Ｔｉｎｔ    （１６）
を満足する必要がある。（１６）式において、Ｔｓは非走査期間であり、Ｔｔｐはタッチパネル検出期間（上記検出に要する期間）である。Ｔｉｎｔは、走査期間Ｔｄの終了と同時に開始される検出の終了時刻から、次の検出の開始時刻までの時間（非走査期間において連続する２つの上記検出の間隔、上述した所定時間）である。
【０１５４】
以上のように、本実施例５に係る表示装置２の駆動方法では、１フレーム期間Ｔｆよりも長く、２フレーム期間（２×Ｔｆ）よりも短い非走査期間Ｔｓによって、定期的な上記検出を実現することが出来る。即ち、走査期間を短くした分だけ、１つの休止フレームをより長くするだけで（非走査期間を１フレーム期間Ｔｆよりも長くするだけで）定期的な検出を実現することが出来る。
【０１５５】
よって、連続する２つの上記検出の間隔が短くなる。より具体的には、複数の休止フレームにより（即ち、２フレーム期間（２×Ｔｆ）以上の非走査期間により）定期的な検出を実現した場合（実施例３，４）よりも、連続する２つの上記検出の間隔が、より短くなる。従って、滑らかな検出を実現することが出来る。
【０１５６】
以上のように、本実施例５に係る表示装置２では、非走査フレームは、走査フレームよりも長くてもよい。
【０１５７】
この表示装置では、連続する２つの検出の間隔を一定にして、定期的な上記検出を実現することが出来る。あるいは、連続する２つの検出の間隔をより一定に近い状態にして、略定期的な上記検出を実現することが出来る。即ち、上記非走査フレームを上記走査フレームよりも長くするだけで、定期的あるいは略定期的な検出を実現することが出来る。よって、滑らかな検出を実現することが出来る。
【０１５８】
（実施例６）
図６は、本実施例６に係る表示装置２の駆動方法を示すタイミングチャートである。図７は、本実施例６に係る表示装置２の構成を示す説明図である。
【０１５９】
図８の表示装置２では、タイミングコントローラ７は、休止駆動制御信号とタイミングが等しいＴＰ検出動作制御信号（矢印Ｈ）を、検出装置３の検出部コントロール部９へ出力する。
【０１６０】
ここで、図１の表示装置２では、タイミングコントローラ７は、映像信号（クロック信号、同期信号、映像データ信号など）を受信してから信号線駆動回路５に同期制御信号（ソーススタートパルス信号、ソースラッチストローブ信号、ソースクロック信号など）を出力するまで数クロック分〜数ラインの走査分の遅れを生じさせている。これはタイミングコントローラ７の内部でのタイミングの生成や画像処理などに時間が必要であるからである。
【０１６１】
一方、表示装置２では、図７に示されるように、走査線駆動回路４が、走査信号線Ｇの本数に応じた数のゲートドライバ部４’（図７では２つを例示している）を備えてもよい。
【０１６２】
また、表示装置２では、図７に示されるように、信号線駆動回路５が、データ信号線Ｓの本数に応じた数のソースドライバ部５’（信号線駆動部、検出指示手段、図７では３つを例示している）を備えてもよい。
【０１６３】
これらのソースドライバ部５’は、上述した遅延が存在しない分だけ、タイミングコントローラ７よりも厳密に、走査期間（及び駆動期間）、及び、非走査期間（及び休止期間）を認識している。
【０１６４】
そこで、図７に示すように、ソースドライバ部５’の内の１つから、接続端子２０を介して、検出装置３の検出部コントロール部９へ、ＴＰ検出動作制御信号を出力しても良い。これにより、タイミングコントローラ７から検出部コントロール部９へＴＰ検出動作制御信号を出力する際の遅延の影響を除去することが出来る。よって、表示装置２の非走査期間をより正確に検出装置３に伝達することが可能となる。従って、検出装置３の検出部８における検出動作を、より正確に制御することが可能となる。
【０１６５】
ここで、上記実施例１、及び、図１〜５，６の（ａ）において、タッチパネル検出期間Ｔｔｐについては、タッチパネル検出期間の開始時刻および終了時刻は、検出指示信号がアクティブである期間であればよい。即ち、上記実施例１、及び、図１〜５，６の（ａ）に示されるように、タッチパネル検出期間Ｔｔｐについては、タッチパネル検出期間Ｔｔｐの開始時刻が、ＴＰ検出動作制御信号の立ち上がる時刻と同期していれば良い。
【０１６６】
従って、ＴＰ検出動作制御信号の立ち上がる時刻にタッチパネル検出期間Ｔｔｐが開始され、予め定められたタッチパネル検出期間Ｔｔｐにおいて検出を行えばよい。タッチパネル検出期間Ｔｔｐは、例えば検出装置３において予め定めれば良い。
【０１６７】
しかし、図６の（ｂ）に示されるように、タッチパネル検出期間Ｔｔｐの開始時刻を、ＴＰ検出動作制御信号の立ち上がる時刻と同期させるだけでなく、タッチパネル検出期間Ｔｔｐの終了時刻を、ＴＰ検出動作制御信号の立ち下がる時刻と同期させてもよい。
【０１６８】
これにより、タッチパネル検出期間Ｔｔｐが、ＴＰ検出動作制御信号により定められるので、検出部８における検出動作を、より正確に制御することが可能となる。
【０１６９】
そして、図７において示される、ソースドライバ部５’から検出装置３へのＴＰ検出動作制御信号の出力と、図６の（ｂ）に示される、ＴＰ検出動作制御信号によるタッチパネル検出期間Ｔｔｐの決定とを組み合わせてもよい。これにより、検出部８における検出動作を、さらに正確に制御することが可能となる。
【０１７０】
（電子機器１’）
図９は、本実施形態に係る電子機器１’の構成の詳細を示すブロック図である。電子機器１と電子機器１’との相違点は、ＴＰ検出動作制御信号の経路である。
【０１７１】
上述したように、図８の電子機器１では、タイミングコントローラ７から検出装置３の検出部コントロール部９へ、直接、ＴＰ検出動作制御信号が出力される。
【０１７２】
これに対して、図９の電子機器１’では、ＴＰ検出動作制御信号が、システム側コントロール部１０を介して、検出装置３の検出部コントロール部９へ出力される。
【０１７３】
具体的には、タイミングコントローラ７は、第１ＴＰ検出動作制御信号（矢印Ｈ１）を、システム側コントロール部１０へ出力する。次に、第１ＴＰ検出動作制御信号を受けたシステム側コントロール部１０は、第１ＴＰ検出動作制御信号とタイミングが等しい第２ＴＰ検出動作制御信号（矢印Ｈ２）を、検出装置３の検出部コントロール部９へ出力する。
【０１７４】
図９の電子機器１’に示される経路でＴＰ検出動作制御信号が出力される場合、システム側コントロール部１０を介する分だけ遅延が生じる。また、第１ＴＰ検出動作制御信号に対して、例えば信号レベルを反転するなどの信号処理を施す場合、この信号処理によっても遅延が生じる。
【０１７５】
これらの遅延、即ち、システム側コントロール部１０を介することによる遅延や、システム側コントロール部１０における信号処理による遅延により、第１ＴＰ検出動作制御信号と第２ＴＰ検出動作制御信号との間で、遅延時間Ｔｄｅｌａｙが生じる。
【０１７６】
よって、図９の電子機器１’では、例えば図１０に示されるように、遅延時間Ｔｄｅｌａｙを考慮して、各ＴＰ検出動作制御信号を出力する。即ち、タイミングコントローラ７は、タッチパネル検出期間Ｔｔｐの開始時刻よりも遅延時間Ｔｄｅｌａｙ分だけ早く、第１ＴＰ検出動作制御信号（矢印Ｈ１）を、システム側コントロール部１０へ出力する。
【０１７７】
第１ＴＰ検出動作制御信号を受けたシステム側コントロール部１０は、第１ＴＰ検出動作制御信号に、必要に応じて上記信号処理を施して、第２ＴＰ検出動作制御信号を生成して、検出装置３の検出部コントロール部９へ出力する。
【０１７８】
これにより、第１ＴＰ検出動作制御信号が出力される時刻から遅延時間Ｔｄｅｌａｙを経過した時刻を、タッチパネル検出期間Ｔｔｐの開始時刻とすることが出来る。
【０１７９】
以上のように、本実施形態に係る電子機器１’の表示装置２では、上記複数の画素は、一方向に伸びる複数の走査信号線Ｇと、他方向に伸びる複数のデータ信号線Ｓとの交差部に対応して設けられる。
【０１８０】
また、電子機器１’の表示装置２は、走査信号線Ｇを選択状態とする信号であるゲートクロック信号（選択信号）を、各走査信号線Ｇに順次印加する走査線駆動回路４を備える。
【０１８１】
さらに、電子機器１’の表示装置２は、各データ信号線Ｓに画像データ信号を供給する信号線駆動回路５を備える。
【０１８２】
さらに、電子機器１’の表示装置２は、タイミングコントローラ７（制御回路）を備える。タイミングコントローラ７は、外部から（即ちシステム側コントロール部１０から）入力された垂直同期信号に基づいて、上記選択信号を走査線駆動回路４に出力する。これとともに、タイミングコントローラ７は、外部から入力された水平同期信号に基づいて、上記画像データ信号の供給を指示する信号であるソースラッチストローブ信号（供給指示信号）を、信号線駆動回路５に出力する。
【０１８３】
タイミングコントローラ７は、少なくとも１つの上記非走査期間において、上記検出を複数回行うことを指示する信号であるＴＰ検出動作制御信号（検出指示信号）を、システム側コントロール部１０（統括制御部）を介して、検出装置３へ出力する。システム側コントロール部１０は、上記垂直同期信号及び上記水平同期信号を供給する。
【０１８４】
これにより、検出装置３は、少なくとも１つの上記非走査期間において、上記検出を複数回行うことが可能となる。
【０１８５】
従って、表示装置のリフレッシュ周波数よりも高い周波数での検出装置における検出動作と、検出精度の向上とを実現することが出来る表示装置２を提供することが出来る。
【０１８６】
なお、図９の電子機器１’においても、信号線駆動回路５が、データ信号線Ｓの本数に応じた数のソースドライバ部５’を備えてもよい。そして、ソースドライバ部５’の内の１つから、接続端子とシステム側コントロール部１０とを介して、検出装置３の検出部コントロール部９へ、ＴＰ検出動作制御信号（第２ＴＰ検出動作制御信号）を出力しても良い。これにより、タイミングコントローラ７から検出部コントロール部９へＴＰ検出動作制御信号を出力する際の遅延の影響を除いて、検出装置３の検出部８における検出動作を、より正確に制御することが可能となる。
【０１８７】
（検出装置３）
本実施形態に係る検出装置３は、上記ＴＰ検出動作制御信号（検出指示信号）が有効である期間のみ検出可能であるわけではない。即ち、本実施形態に係る検出装置３は、走査期間・非走査期間に関わらず検出動作自体を実施した上で、上記ＴＰ検出動作制御信号（検出指示信号）が有効である期間に得られたデータのみを使用して、検出結果として算出しても良い。
【０１８８】
このようにしても、ＴＰ検出動作制御信号（検出指示信号）が無効である期間（無効期間）のデータは採用されないので、結果的には上記無効期間に検出動作をしていないことと同等の検出精度を得ることが可能である。
【０１８９】
（表示パネル２ａ）
本実施形態に係る表示パネル２ａは、液晶層を備える液晶パネルであってもよい。この場合、本実施形態に係る表示装置２は、液晶表示装置となる。
【０１９０】
また、本実施形態に係る表示パネル２ａの画素が、流れる電流に応じた輝度で発光する素子である有機ＥＬ（Electro luminescence：エレクトロルミネッセンス）ダイオードを有しても良い。この場合、本実施形態に係る表示装置２は、有機ＥＬディスプレイ（有機エレクトロルミネッセンス表示装置）となる。
【０１９１】
これらの表示装置においても、検出装置３が、少なくとも１つの上記非走査期間において、上記検出を複数回行う。これにより、表示装置のリフレッシュ周波数よりも高い周波数での検出装置における検出動作と、検出精度の向上とを実現することが出来る表示装置を提供することが出来る。
【０１９２】
（表示パネル２ａの画素）
表示パネル２ａは、マトリクス状に配置された複数の画素を備えている。また、表示パネル２ａは、画素に備えられ画素電極に接続されるスイッチング素子（ＴＦＴ）を備えている。
【０１９３】
走査線駆動回路４は、例えば、各走査信号線Ｇを画面の上から下に向かって順次走査する。その際、各走査信号線Ｇに対して、ＴＦＴをオン状態にさせるための矩形波を出力する。これにより、画面内の１行分の画素を選択状態にする。
【０１９４】
表示パネル２ａのＴＦＴとして、その半導体層にいわゆる酸化物半導体を用いたＴＦＴを採用することが好ましい。この酸化物半導体には、例えばＩＧＺＯ（ＩｎＧａＺｎＯｘ）が含まれる。その理由について、図１５を参照して説明する。図１５は、各種ＴＦＴの特性を示す図である。この図１５では、酸化物半導体を用いたＴＦＴ、ａ−Ｓｉ（amorphous silicon）を用いたＴＦＴ、およびＬＴＰＳ（Low Temperature Poly Silicon）を用いたＴＦＴの各々の特性を示す。本図において、横軸（Ｖｇｈ）は、各ＴＦＴにおいてゲートに供給されるオン電圧の電圧値を示し、縦軸（Ｉｄ）は、各ＴＦＴにおけるソース−ドレイン間の電流量を示す。特に、図中において「ＴＦＴ−ｏｎ」と示されている期間は、オン電圧の電圧値に応じてオン状態となっている期間を示し、図中において「ＴＦＴ−ｏｆｆ」と示されている期間は、オン電圧の電圧値に応じてオフ状態となっている期間を示す。
【０１９５】
図１５に示すように、酸化物半導体を用いたＴＦＴは、ａ−Ｓｉを用いたＴＦＴよりも、オン状態の時の電流量（すなわち、電子移動度）が高い。図示は省略するが、具体的には、ａ−Ｓｉを用いたＴＦＴは、そのＴＦＴ−ｏｎ時のＩｄ電流が１ｕＡであるのに対し、酸化物半導体を用いたＴＦＴは、そのＴＦＴ−ｏｎ時のＩｄ電流が２０〜５０ｕＡ程度である。このことから、酸化物半導体を用いたＴＦＴは、ａ−Ｓｉを用いたＴＦＴよりも、オン状態の時の電子移動度が２０〜５０倍程度高く、オン特性が非常に優れていることが分かる。
【０１９６】
以上のことから、本発明の表示装置２において、酸化物半導体を用いたＴＦＴを各画素に採用することによって、各画素のＴＦＴのオン特性が非常に優れたものとなる。そのため、各画素に対して画素データを書き込む際の電子移動量を増大し、該書き込みにかかる時間をより短時間化することができる。すなわち、表示装置２は、走査期間を短縮することができるので、その分、検出装置３の検出期間を十分に確保することができる。したがって、検出装置３の検出精度をより高めることができる。
【０１９７】
（適用例）
本発明の電子機器は、上記いずれかの表示装置２と、検出装置３とを備えるので、表示装置のリフレッシュ周波数よりも高い周波数での検出装置における検出動作と、検出精度の向上とを実現することが出来る。
【０１９８】
（総括）
上記表示装置では、上記検出装置は、上記非走査期間において連続する２つの上記検出の間隔と、上記走査期間を含む期間において連続する２つの上記検出の間隔との差が最小となるように、各検出のタイミングを決定してもよい。
【０１９９】
これにより、連続する２つの検出の間隔を可能な限り広げるとともに、当該間隔を可能な限り一定に近づけて、定期的な検出に近い検出を実現することが出来る。
【０２００】
上記表示装置では、上記非走査期間は、上記走査期間よりも長くてもよい。
【０２０１】
この表示装置では、連続する２つの検出の間隔を一定にして、定期的な上記検出を実現することが出来る。あるいは、連続する２つの検出の間隔をより一定に近い状態にして、略定期的な上記検出を実現することが出来る。即ち、上記非走査期間を上記走査期間よりも長くするだけで、定期的あるいは略定期的な検出を実現することが出来る。よって、滑らかな検出を実現することが出来る。
【０２０２】
上記表示装置では、上記非走査期間をＴｓ、上記検出に要する期間をＴｔｐ、上記非走査期間において連続する２つの上記検出の間隔をＴｉｎｔとすると、Ｔｓ≧Ｔｔｐ×２＋Ｔｉｎｔが成立してもよい。
【０２０３】
この表示装置では、上記走査期間よりも長く、上記走査期間を２倍した期間よりも短い上記非走査期間によって、定期的な上記検出を実現することが出来る。即ち、上記非走査期間を上記走査期間よりも長くするだけで、定期的な検出を実現することが出来る。
【０２０４】
よって、上記非走査期間が、上記走査期間を２倍した期間以上の期間である場合に定期的な検出を実現した場合よりも、連続する２つの上記検出の間隔が、より短くなる。従って、滑らかな検出を実現することが出来る。
【０２０５】
上記表示装置では、上記複数の画素は、一方向に伸びる複数の走査信号線と、他方向に伸びる複数のデータ信号線との交差部に対応して設けられ、上記走査信号線を選択状態とする信号である選択信号を、各走査信号線に順次印加する走査線駆動回路と、各データ信号線に画像データ信号を供給する信号線駆動回路と、外部から入力された垂直同期信号に基づいて、上記選択信号を上記走査線駆動回路に出力するとともに、外部から入力された水平同期信号に基づいて、上記画像データ信号の供給を指示する信号である供給指示信号を、上記信号線駆動回路に出力する制御回路とをさらに備え、上記信号線駆動回路は、上記データ信号線の本数に応じた数の信号線駆動部を有し、いずれか１つの上記信号線駆動部は、上記検出指示手段を備えてもよい。
【０２０６】
この表示装置においても、上記信号線駆動部が備える上記検出指示手段は、複数回の上記検出を指示する上記検出指示信号の出力を、少なくとも１つの上記非走査期間において行う。これにより、表示装置のリフレッシュ周波数よりも高い周波数での検出装置における検出動作と、検出精度の向上とを実現することが出来る表示装置を提供することが出来る。
【０２０７】
また、上記信号線駆動部が備える上記検出指示手段は、上記信号線駆動部から上記検出装置へ上記検出指示信号を出力する。これにより、上記制御回路から上記検出装置へ上記検出指示信号を出力する際の遅延の影響を除いて、上記検出装置における検出動作を、より正確に制御することが可能となる。
【０２０８】
上記非走査期間は、上記走査期間の整数倍相当の期間であってもよい。
【０２０９】
これにより、上記走査期間の整数倍相当の期間である上記非走査期間において、上記複数回の検出を行うことが出来る。よって、上記検出の頻度を示す検出周波数を、上記複数の画素の更新頻度を示すリフレッシュ周波数よりも高くすることが出来る。
【０２１０】
また、上記非走査期間を構成するとともに、上記走査期間に相当する長さを有する全ての期間において、上記複数回の検出を行う必要が無くなる。
【０２１１】
従って、上記検出装置において、消費電力を低減することが出来る。
【０２１２】
上記表示装置では、上記非走査期間は、上記走査期間を２倍した期間であり、
上記非走査期間の前半部における上記検出の開始時刻は、上記非走査期間の後半部における上記検出の開始時刻よりも早くてもよい。
【０２１３】
これにより、上記前半部における検出の終了時刻から、上記後半部における検出の開始時刻までを示す時間（ある時の上記非検出期間において、１回目の検出が終了してから２回目の検出が開始されるまでの時間）と、上記後半部における検出の終了時刻から、次の上記前半部における検出の開始時刻までを示す時間（ある時の上記非検出期間において、２回目の検出が終了してから、ある時の上記非検出期間の次の上記非検出期間において、１回目の検出が開始されるまでの時間）とを、等しくすることが出来る。
【０２１４】
従って、上記検出を定期的に行うことが出来る。
【０２１５】
上記表示装置では、上記非走査期間は、上記走査期間を奇数倍した期間であり、上記非走査期間の内、上記走査期間に相当する長さを有する奇数番目の期間のそれぞれにおいて、上記検出の開始時刻、及び、上記検出の終了時刻が同一であってもよい。
【０２１６】
これにより、上記非走査期間において、１番目の上記期間における上記検出の終了時刻から、３番目の上記期間における上記検出の開始時刻までを示す時間と、３番目の上記期間における上記検出の終了時刻から、走査期間を介した次の１番目の上記期間における上記検出の開始時刻までを示す時間とが等しくなる。以降も同様に、連続する２つの上記検出の間隔が、全て等しくなる。
【０２１７】
従って、上記検出を定期的に行うことが出来る。
【０２１８】
上記表示装置では、上記複数の画素は、一方向に伸びる複数の走査信号線と、他方向に伸びる複数のデータ信号線との交差部に対応して設けられ、上記走査信号線を選択状態とする信号である選択信号を、各走査信号線に順次印加する走査線駆動回路と、各データ信号線に画像データ信号を供給する信号線駆動回路と、外部から入力された垂直同期信号に基づいて、上記選択信号を上記走査線駆動回路に出力するとともに、外部から入力された水平同期信号に基づいて、上記画像データ信号の供給を指示する信号である供給指示信号を、上記信号線駆動回路に出力する制御回路とをさらに備え、上記制御回路は、上記検出指示手段を備えてもよい。
【０２１９】
この表示装置においても、上記検出指示手段は、複数回の上記検出を指示する上記検出指示信号の出力を、少なくとも１つの上記非走査期間において行う。これにより、表示装置のリフレッシュ周波数よりも高い周波数での検出装置における検出動作と、検出精度の向上とを実現することが出来る表示装置を提供することが出来る。
【０２２０】
上記表示装置では、上記複数の画素は、一方向に伸びる複数の走査信号線と、他方向に伸びる複数のデータ信号線との交差部に対応して設けられ、上記走査信号線を選択状態とする信号である選択信号を、各走査信号線に順次印加する走査線駆動回路と、各データ信号線に画像データ信号を供給する信号線駆動回路と、外部から入力された垂直同期信号に基づいて、上記選択信号を上記走査線駆動回路に出力するとともに、外部から入力された水平同期信号に基づいて、上記画像データ信号の供給を指示する信号である供給指示信号を、上記信号線駆動回路に出力する制御回路と、上記垂直同期信号及び上記水平同期信号を供給する統括制御部とをさらに備え、上記制御回路は、上記検出指示信号を、上記統括制御部を介して上記検出装置へ出力してもよい。
【０２２１】
これにより、上記検出装置は、少なくとも１つの上記非走査期間において、上記検出を複数回行うことが可能となる。
【０２２２】
この表示装置においても、上記検出指示手段は、複数回の上記検出を指示する上記検出指示信号の出力を、少なくとも１つの上記非走査期間において行う。これにより、表示装置のリフレッシュ周波数よりも高い周波数での検出装置における検出動作と、検出精度の向上とを実現することが出来る表示装置を提供することが出来る。
【０２２３】
上記表示装置では、上記走査線駆動回路、上記信号線駆動回路、及び、上記制御回路は、上記走査期間内において、上記画素へ印加する電圧の極性を反転させてもよい。これにより、上記走査期間における消費電流が多い駆動であるドット反転系の駆動を行う場合において、検出精度を向上させることが出来るとともに、上記検出装置の消費電力を低減することが出来る。
【０２２４】
本発明の表示装置は、液晶表示装置であってもよい。
【０２２５】
また、本発明の表示装置は、有機エレクトロルミネッセンス表示装置であってもよい。
【０２２６】
これらの表示装置においても、上記検出指示手段は、複数回の上記検出を指示する上記検出指示信号の出力を、少なくとも１つの上記非走査期間において行う。これにより、表示装置のリフレッシュ周波数よりも高い周波数での検出装置における検出動作と、検出精度の向上とを実現することが出来る表示装置を提供することが出来る。
【０２２７】
上記表示装置では、上記検出装置は、上記表示装置の画面に設けられるタッチパネルであってもよい。上記検出装置として上記タッチパネルを用いることにより、ユーザーの指等が接触または接近した位置を検出することができる。
【０２２８】
上記タッチパネルの一例として、投影型静電容量方式のタッチパネルが挙げられる。投影型静電容量方式のタッチパネルの場合、検出を行う部分は、ＩＴＯ（Indium Tin Oxide）などによるマトリクス状の透明電極パターンを、ガラス、プラスチックなどの透明基板上に形成したものとなる。検出を行う部分にユーザーの指等が接触または接近すると、その付近の複数の透明電極パターンにおける静電容量が変化する。従って、検出を行う部分の制御部は、上記透明電極パターンの電流または電圧の変化を検出することにより、ユーザーの指等が接触または接近した位置を検出することができる。
【０２２９】
上記検出装置は、上記画面における上記検出対象の移動の速度情報を生成し、
少なくとも１つの上記非走査期間において、上記速度情報に応じた回数の上記検出指示信号を出力してもよい。
【０２３０】
上記の構成により、例えばタッチパネル上でユーザの指等の検出対象の移動速度が速くなった場合に、検出装置による検出回数を増加させることができる。これにより、検出対象の移動速度が速くなった場合であっても、その位置を正確に検出することができる。
【０２３１】
上記表示装置では、上記検出装置は、外部から飛来する電波を検出して、該電波に含まれる信号を受信するＲＦ受信装置であってもよい。
【０２３２】
上記検出装置としては、例えばタッチパネルが利用されるが、本発明は任意の検出装置に適用可能である。この検出装置の例としては、タッチパネルの他に、外部の装置から飛来する電波を受信（検出）するＲＦ（Radio Frequency）受信回路などが挙げられる。ＲＦ受信回路も、電波を受信する時に、表示装置から放射されるＥＭＩ（ElectroMagnetic Interference）の影響を受ける。このため、表示装置が休止モードである時に、ＲＦ受信回路が電波の受信（検出）の動作を行うことにより、受信した信号の精度を向上させることができる。
【０２３３】
上記表示装置が有する上記画素は、ＴＦＴを備えており、上記ＴＦＴの半導体層には、酸化物半導体が用いられていてもよい。上記酸化物半導体は、ＩＧＺＯであってもよい。
【０２３４】
ＴＦＴとして半導体層にＩＧＺＯを用いたＴＦＴを用いることで、各画素に対して画素データを書き込む際の電子移動量を増大し、該書き込みにかかる時間をより短時間化することができる。これにより、表示装置は、走査期間を短縮することができるので、その分、検出装置の検出期間を十分に確保することができる。したがって、検出装置の検出精度をより高めることができる。
【０２３５】
本発明の電子機器は、上記いずれかの表示装置と、上記検出装置とを備えるので、表示装置のリフレッシュ周波数よりも高い周波数での検出装置における検出動作と、検出精度の向上とを実現することが出来る。
【０２３６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２３７】
本発明の表示装置は、タッチパネルまたはＲＦ受信装置を有する検出装置に対して直接的あるいは間接的な制御が可能である表示装置に適用することが出来る。特に、タッチパネルにおいて手書きを行う表示装置のように、高い検出周波数を必要とする表示装置に好適に用いることが出来る。
【符号の説明】
【０２３８】
１，１’  電子機器
２  表示装置
２ａ  表示パネル
３  検出装置
４  走査線駆動回路
４’  ゲートドライバ部
５  信号線駆動回路
５’  ソースドライバ部（信号線駆動部、検出指示手段）
６  共通電極駆動回路
７  タイミングコントローラ（制御回路、検出指示手段）
８  検出部
９  検出部コントロール部
１０  システム側コントロール部（統括制御部）
Ｇ  走査信号線
Ｒｘ  センスライン
Ｓ  データ信号線
Ｔｆ  １フレーム期間
Ｔｔｐ  タッチパネル検出期間
Ｔｘ  駆動ライン
【図１】
2012141112.tif 000003
【図２】
2012141112.tif 000004
【図３】
2012141112.tif 000005
【図４】
2012141112.tif 000006
【図５】
2012141112.tif 000007
【図６】
2012141112.tif 000008
【図７】
2012141112.tif 000009
【図８】
2012141112.tif 000010
【図９】
2012141112.tif 000011
【図１０】
2012141112.tif 000012
【図１１】
2012141112.tif 000013
【図１２】
2012141112.tif 000014
【図１３】
2012141112.tif 000015
【図１４】
2012141112.tif 000016
【図１５】
2012141112.tif 000017
【図１６】
2012141112.tif 000018
【図１７】
2012141112.tif 000019
【図１８】
2012141112.tif 000020
【手続補正書】
【提出日】平成25年3月4日(2013.3.4)
【手続補正１】
【補正対象書類名】特許請求の範囲
【補正対象項目名】全文
【補正方法】変更
【補正の内容】
【特許請求の範囲】
【請求項１】
複数の画素からなる画面を有する表示装置であって、
上記複数の画素が順次選択状態にされる走査が行われる走査期間と、上記走査が全く行われない非走査期間とが交互に繰り返される表示装置において、
上記画面への接触または接近による入力および上記表示装置の外部から飛来する電波の少なくとも何れか一方の検出対象を検出する検出装置に対して、少なくとも１つの上記非走査期間において、上記検出を指示する検出指示信号を複数回出力する検出指示手段を備えることを特徴とする表示装置。
【請求項２】
上記検出装置は、上記非走査期間において連続する２つの上記検出の間隔と、上記走査期間を含む期間において連続する２つの上記検出の間隔との差が最小となるように、各検出のタイミングを決定することを特徴とする請求項１に記載の表示装置。
【請求項３】
上記非走査期間は、上記走査期間よりも長いことを特徴とする請求項２に記載の表示装置。
【請求項４】
上記非走査期間をＴｓ、
上記検出に要する期間をＴｔｐ、
上記非走査期間において連続する２つの上記検出の間隔をＴｉｎｔとすると、
Ｔｓ≧Ｔｔｐ×２＋Ｔｉｎｔ
が成立することを特徴とする請求項３に記載の表示装置。
【請求項５】
上記複数の画素は、一方向に伸びる複数の走査信号線と、他方向に伸びる複数のデータ信号線との交差部に対応して設けられ、
上記走査信号線を選択状態とする信号である選択信号を、各走査信号線に順次印加する走査線駆動回路と、
各データ信号線に画像データ信号を供給する信号線駆動回路と、
外部から入力された垂直同期信号に基づいて、上記選択信号を上記走査線駆動回路に出力するとともに、外部から入力された水平同期信号に基づいて、上記画像データ信号の供給を指示する信号である供給指示信号を、上記信号線駆動回路に出力する制御回路とをさらに備え、
上記信号線駆動回路は、上記データ信号線の本数に応じた数の信号線駆動部を有し、
いずれか１つの上記信号線駆動部は、上記検出指示手段を備えることを特徴とする請求項１〜４のいずれか１項に記載の表示装置。
【請求項６】
上記非走査期間は、上記走査期間の整数倍相当の期間であることを特徴とする請求項１に記載の表示装置。
【請求項７】
上記非走査期間は、上記走査期間の２倍相当の期間であり、
上記非走査期間の前半部における上記検出の開始時刻は、上記非走査期間の後半部における上記検出の開始時刻よりも早いことを特徴とする請求項６に記載の表示装置。
【請求項８】
上記非走査期間は、上記走査期間の奇数倍相当の期間であり、
上記非走査期間の内、上記走査期間に相当する長さを有する奇数番目の期間のそれぞれにおいて、上記検出の開始時刻、及び、上記検出の終了時刻が同一であることを特徴とする請求項１に記載の表示装置。
【請求項９】
上記複数の画素は、一方向に伸びる複数の走査信号線と、他方向に伸びる複数のデータ信号線との交差部に対応して設けられ、
上記走査信号線を選択状態とする信号である選択信号を、各走査信号線に順次印加する走査線駆動回路と、
各データ信号線に画像データ信号を供給する信号線駆動回路と、
外部から入力された垂直同期信号に基づいて、上記選択信号を上記走査線駆動回路に出力するとともに、外部から入力された水平同期信号に基づいて、上記画像データ信号の供給を指示する信号である供給指示信号を、上記信号線駆動回路に出力する制御回路とをさらに備え、
上記制御回路は、上記検出指示手段を備えることを特徴とする請求項１〜４，６〜８のいずれか１項に記載の表示装置。
【請求項１０】
上記複数の画素は、一方向に伸びる複数の走査信号線と、他方向に伸びる複数のデータ信号線との交差部に対応して設けられ、
上記走査信号線を選択状態とする信号である選択信号を、各走査信号線に順次印加する走査線駆動回路と、
各データ信号線に画像データ信号を供給する信号線駆動回路と、
外部から入力された垂直同期信号に基づいて、上記選択信号を上記走査線駆動回路に出力するとともに、外部から入力された水平同期信号に基づいて、上記画像データ信号の供給を指示する信号である供給指示信号を、上記信号線駆動回路に出力する制御回路と、
上記垂直同期信号及び上記水平同期信号を供給する統括制御部とをさらに備え、
上記制御回路は、上記検出指示信号を、上記統括制御部を介して上記検出装置へ出力することを特徴とする請求項１〜４，６〜８のいずれか１項に記載の表示装置。
【請求項１１】
上記走査線駆動回路、上記信号線駆動回路、及び、上記制御回路は、上記走査期間内において、上記画素へ印加する電圧の極性を反転させることを特徴とする請求項５，９，１０のいずれか１項に記載の表示装置。
【請求項１２】
液晶表示装置であることを特徴とする請求項１〜１１のいずれか１項に記載の表示装置。
【請求項１３】
有機エレクトロルミネッセンス表示装置であることを特徴とする請求項１〜１１のいずれか１項に記載の表示装置。
【請求項１４】
上記検出装置は、上記表示装置の画面に設けられるタッチパネルであることを特徴とする請求項１〜１３のいずれか１項に記載の表示装置。
【請求項１５】
上記検出装置は、上記画面における上記検出対象の移動の速度情報を生成し、
少なくとも１つの上記非走査期間において、上記速度情報に応じた回数の上記検出指示信号を出力することを特徴とする請求項１４に記載の表示装置。
【請求項１６】
上記検出装置は、外部から飛来する電波を検出して、該電波に含まれる信号を受信するＲＦ受信装置であることを特徴とする請求項１〜１３のいずれか１項に記載の表示装置。
【請求項１７】
上記表示装置が有する上記画素は、ＴＦＴを備えており、
上記ＴＦＴの半導体層には、酸化物半導体が用いられていることを特徴とする請求項１〜１６のいずれか１項に記載の表示装置。
【請求項１８】
上記酸化物半導体は、Ｉｎ−Ｇａ−Ｚｎ−Ｏであることを特徴とする請求項１７に記載の表示装置。
【請求項１９】
請求項１〜１８のいずれか１項に記載の表示装置と、
上記検出装置とを備えることを特徴とする電子機器。
【請求項２０】
複数の画素からなる画面を有する表示装置の駆動方法であって、
上記複数の画素が順次選択状態にされる走査が行われる走査期間と、上記走査が全く行われない非走査期間とが交互に繰り返される表示装置の駆動方法において、
上記画面への接触または接近による入力および上記表示装置の外部から飛来する電波の少なくとも何れか一方の検出対象を検出する検出装置に対して、少なくとも１つの上記非走査期間において、上記検出を指示する検出指示信号を複数回出力する工程を含むことを特徴とする表示装置の駆動方法。
【国際調査報告】
2012141112.tif 000021
2012141112.tif 000022